Podtech/llm-jp-corpus-v4-ja_patent huggingface dataset:
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
毛嚢または皮膚を対象の生体上にて形成させるための組成物であって、
創傷部位に適用するための、生体適合性の不活性な基質に接着させた、継代培養した複能性(multipotent)細胞と、分化したヒト真皮および表皮細胞の混合物を含む、組成物。
【請求項２】
細胞が対象と異なる個体由来である、請求項１記載の組成物。
【請求項３】
基質が半透過性のポリマー性膜またはシリコン膜である、請求項１または２記載の組成物。
【請求項４】
複能性細胞が、新生児組織由来の細胞、骨髄もしくは血液由来の細胞、またはメラノサイト、脂肪細胞、神経または内皮の前駆細胞である、請求項１〜３いずれかに記載の組成物。
【請求項５】
複能性細胞が、分化誘導された多能性(pluripotent)幹細胞である、請求項１〜３いずれかに記載の組成物。
【請求項６】
複能性細胞が新生児の皮膚より得られたものである、請求項４記載の組成物。
【請求項７】
継代培養した真皮および表皮細胞が、約１：１の比率で組み合わされている、請求項１〜６いずれかに記載の組成物。
【請求項８】
複能性細胞の、分化した表皮細胞に対する比率が、１：１〜１０：１の範囲内である、請求項１〜７いずれかに記載の組成物。
【請求項９】
細胞が、細胞培養培地中に懸濁されている、請求項１〜８いずれかに記載の組成物。
【請求項１０】
基質に接着した細胞中に、継代培養した細胞とともに、黒色細胞をさらに含む、請求項１〜９いずれかに記載の組成物。
【請求項１１】
請求項１〜１０いずれかに記載の組成物であって、対象の毛嚢形成を希望する部位に作成された創傷に対して、組成物中の細胞部分が創傷側になるように適用するためのものである組成物。
【請求項１２】
細胞を適用する領域が０．５〜２ｃｍ２の面積であり、０．６〜０．８ｃｍの深さである、請求項１１記載の組成物。
【請求項１３】
基質が適用部位に固定される、請求項１１または１２記載の組成物。
【請求項１４】
対象の毛嚢形成を希望する部位に適用される免疫抑制剤と組み合わせて用いられる、請求項１〜１３いずれかに記載の組成物。
【請求項１５】
請求項１〜１４のいずれかに記載の組成物を移植して作成される、毛髪成長用または毛髪成長に影響を与える化合物のスクリーニング用非ヒト動物モデル。
【請求項１６】
マウスである、請求項１５記載の動物モデル。
【請求項１７】
毛嚢の発達、増殖または成長を促進する化合物のスクリーニング方法であって、
候補化合物を請求項１５または１６記載の動物モデルに投与し、毛嚢の発達、増殖または成長を観察して、化合物を投与しない動物と比較することを含む、方法。
【請求項１８】
非ヒト免疫不全動物の背中に全層のヒト皮膚様組織を作製する方法であって、
生体適合性の不活性な基質に接着させた、継代培養した複能性(multipotent)ヒト細胞と、分化したヒト真皮および表皮細胞の混合物を含む組成物を提供する工程、
非ヒト免疫不全動物の背中の皮膚へ創傷を形成する工程、
細胞−基質を、細胞が創傷側になるように適用すること
を含む、方法。
【請求項１９】
ヒト皮膚細胞が、表皮、真皮、皮下組織または付属器に影響を与える疾患に罹患しているヒト由来の細胞である、該疾患の研究またはその処置用物質のスクリーニングのために用いられる、請求項１８記載の方法。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
第１開口および第２開口と、前記第１開口および前記第２開口を仕切る壁部と、を有する基板と、
前記第１開口を塞ぐ第１振動膜と、
前記第２開口を塞ぐ第２振動膜と、
前記第１振動膜の前記基板とは反対側の面上に形成された第１圧電素子と、
前記第２振動膜の前記基板とは反対側の面上に形成された第２圧電素子と、
前記第１振動膜および前記第２振動膜に接するように前記第１開口内および前記第２開口内に配置される音響整合層と、
を備えることを特徴とする超音波デバイス。
【請求項２】
請求項１に記載の超音波デバイスにおいて、前記第１開口は複数であって列状に配列され、前記第２開口は複数であって前記第１開口の配列に並列な列状に配列されることを特徴とする超音波デバイス。
【請求項３】
請求項１または２に記載の超音波デバイスにおいて、前記壁部は、前記基板の厚み方向に関して第１高さの第１壁部と、前記第１高さよりも高い第２高さの第２壁部とを有することを特徴とする超音波デバイス。
【請求項４】
請求項３に記載の超音波デバイスにおいて、前記第２壁部に接して前記音響整合層に結合される音響レンズをさらに備えることを特徴とする超音波デバイス。
【請求項５】
請求項４に記載の超音波デバイスにおいて、前記音響レンズと前記第１壁部との間には前記音響整合層が配置されることを特徴とする超音波デバイス。
【請求項６】
請求項１〜５のいずれか１項に記載の超音波デバイスにおいて、前記基板の厚み方向からの平面視において前記第１開口および前記第２開口を連続して囲み、前記基板の厚み方向に関して前記壁部よりも高い外枠を備えることを特徴とする超音波デバイス。
【請求項７】
請求項１〜６のいずれか１項に記載の超音波デバイスにおいて、前記第１振動膜は第１共振周波数を有し、前記第２振動膜は前記第１共振周波数とは相違する第２共振周波数を有することを特徴とする超音波デバイス。
【請求項８】
請求項７に記載の超音波デバイスにおいて、前記音響整合層は前記第１開口および前記第２開口で等しい厚みを有することを特徴とする超音波デバイス。
【請求項９】
請求項７に記載の超音波デバイスにおいて、前記音響整合層は前記第１開口および前記第２開口で異なる厚みを有することを特徴とする超音波デバイス。
【請求項１０】
請求項１〜９のいずれか１項に記載の超音波デバイスと、前記超音波デバイスを支持する筐体とを備えることを特徴とするプローブ。
【請求項１１】
請求項１〜９のいずれか１項に記載の超音波デバイスと、前記超音波デバイスに接続されて、前記超音波デバイスの出力を処理する処理装置とを備えることを特徴とする電子機器。
【請求項１２】
請求項１〜９のいずれか１項に記載の超音波デバイスと、前記超音波デバイスの出力から生成される画像を表示する表示装置とを備えることを特徴とする超音波画像装置。
【請求項１３】
第１面に膜材を有する基板の前記膜材の表面に第１圧電素子および第２圧電素子を形成する工程と、
前記第１面の裏側の第２面から前記基板に、相互に壁部で仕切られる第１開口および第２開口を形成し、前記第１圧電素子を支持する第１振動膜、および、前記第２圧電素子を支持する第２振動膜を前記膜材に形成する工程と、
前記第１開口および前記第２開口に音響整合層の素材の流動体を流し込む工程と、
流し込まれた前記流動体に音響レンズを被せ、前記流動体を硬化させて前記音響レンズを接着する工程と、
を備えることを特徴とする超音波デバイスの製造方法。
【請求項１４】
請求項１３に記載の超音波デバイスの製造方法において、前記壁部は、前記基板の厚み方向に関して第１高さの第１壁部と、前記第１高さよりも高い第２高さの第２壁部とを有することを特徴とする超音波デバイスの製造方法。
【請求項１５】
請求項１３または１４に記載の超音波デバイスの製造方法において、前記第１開口および前記第２開口の形成にあたって、前記膜材の平らな前記表面から第１膜厚の前記第１振動膜、および、第２膜厚の前記第２振動膜を形成することを特徴とする超音波デバイスの製造方法。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
導電性の流体が輸送される流路の一部を構成する絶縁性の輸送管と、
前記輸送管に設けられ、前記流路内の前記流体に接触しない第１の電極と、
前記流路内の流体に接触する第２の電極と、
前記第１の電極と前記第２の電極との間の電位を計測する電位計測部と、
前記電位計測部で計測された前記電位に基づき、前記輸送管の異常を判定する判定部と、
を備えたことを特徴とする流体輸送装置。
【請求項２】
請求項１に記載の流体輸送装置であって、
前記輸送管は、前記流体を生体に注入するために前記生体に挿入されるカテーテルであることを特徴とする流体輸送装置。
【請求項３】
請求項２に記載の流体輸送装置であって、
前記カテーテルの外周面のうち前記生体に挿入される側の端部以外の部位に、前記第１の電極が設けられていることを特徴とする流体輸送装置。
【請求項４】
請求項１から請求項３の何れか１項に記載の流体輸送装置であって、
前記輸送管は、前記流体が貯留された流体貯留部と、前記流体を生体に注入するために前記生体に挿入されるカテーテルが設けられた流体注入部と、を接続する接続チューブであることを特徴とする流体輸送装置。
【請求項５】
請求項４に記載の流体輸送装置であって、
前記第２の電極は、前記輸送管の内周面に設けられた導電性の膜、又は、前記輸送管に接続されて前記流路の一部を構成する導電性の管であることを特徴とする流体輸送装置。
【請求項６】
請求項１から請求項５の何れか１項に記載の流体輸送装置であって、
前記輸送管の外周面に前記第１の電極が設けられ、且つ、前記輸送管の外周面の一部が露出し、前記輸送管の内部を流れる前記流体が視認可能であることを特徴とする流体輸送装置。
【請求項７】
請求項１から請求項５の何れか１項に記載の流体輸送装置であって、
前記第１の電極が前記輸送管に埋め込まれていることを特徴とする流体輸送装置。
【請求項８】
請求項１から請求項７のいずれかに記載の流体輸送装置であって、
前記流路に前記流体を流動させるポンプを備えることを特徴とする流体輸送装置。
【請求項９】
請求項８に記載の流体輸送装置であって、
前記ポンプは、前記流体が流動するチューブを複数の押圧部材で順次圧搾することにより流体を流動させることを特徴とする流体輸送装置。
【請求項１０】
請求項８に記載の流体輸送装置であって、
前記ポンプは、前記流体が貯留された容器の容積を変化させることにより流体を流動させることを特徴とする流体輸送装置。
【請求項１１】
導電性の流体が輸送される流路の一部を構成する絶縁性の輸送管に設けられ、前記流路内の前記流体に接触しない第１の電極と、前記流路内の流体に接触する第２の電極と、の間の電位を計測することと、
計測された前記電位に基づき、前記輸送管の異常を判定すること、
を備えたことを特徴とする輸送管の異常判定方法。
【手続補正２】
【補正対象書類名】明細書
【補正対象項目名】００１６
【補正方法】変更
【補正の内容】
【００１６】
かかる流体輸送装置であって、前記ポンプは、前記流体が流動するチューブを複数の押圧部材で順次圧搾することにより流体を流動させることが望ましい。
このようにすることで、流路に流体を適切に流動させることができる。
【手続補正３】
【補正対象書類名】明細書
【補正対象項目名】００１７
【補正方法】変更
【補正の内容】
【００１７】
かかる流体輸送装置であって、前記ポンプは、前記流体が貯留された容器の容積を変化させることにより流体を流動させることを特徴とする流体輸送装置である。
このようにすることによっても、流路に流体を適切に流動させることができる。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
顔面の一部又は全部を覆う面体と、面体に取り付けられた、吸気弁と排気弁と伝声器と、吸気弁を介して前記面体内に外気を供給する電動ファンと、電動ファンに吸引される外気を濾過するフィルターと、吸気弁や排気弁を構成要素としない呼吸モニター装置と、呼吸モニター装置の検知信号に基づき呼吸に合わせて電動ファンの作動を制御する制御装置とを備え、呼吸モニター装置は、伝声器の振動体に取り付けられた反射体と、反射体に対峙する発光素子と受光素子とから成る光センサーとを有することを特徴とする請求項１に記載の呼吸装置。
【請求項２】
伝声器の振動体は張力を印加されずに無負荷時に平板状態を維持できる膜成形体であることを特徴とする請求項１に記載の呼吸装置。
【請求項３】
伝声器の振動体は、外周縁部を除く中央部に同心円状の多数の環状の波形凹凸が形成された円形の膜成形体であることを特徴とする請求項２に記載の呼吸装置。
【請求項４】
伝声器の振動体は張力を印加されることにより無負荷時に平板状態を維持できる膜体であることを特徴とする請求項１に記載のに記載の呼吸装置。
【請求項５】
呼吸モニター装置の検知信号がローパスフィルターを介して制御装置に入力されることを特徴とする請求項１乃至４の何れか１項に記載の呼吸装置。
【請求項６】
呼吸モニターの検知信号が増幅器を介して制御装置に入力されることを特徴とする請求項１乃至５の何れか１項に記載の呼吸装置。
【請求項７】
呼吸モニター装置と伝声器と制御装置とが一体に組み付けられてユニット化され、前記ユニットが面体に形成された開口に着脱可能に取り付けられていることを特徴とする請求項１乃至６の何れか１項に記載の呼吸装置。
【手続補正２】
【補正対象書類名】明細書
【補正対象項目名】０００５
【補正方法】変更
【補正の内容】
【０００５】
上記課題を解決するために、本発明においては、顔面の一部又は全部を覆う面体と、面体に取り付けられた、吸気弁と排気弁と伝声器と、吸気弁を介して前記面体内に外気を供給する電動ファンと、電動ファンに吸引される外気を濾過するフィルターと、吸気弁や排気弁を構成要素としない呼吸モニター装置と、呼吸モニター装置の検知信号に基づき呼吸に合わせて電動ファンの作動を制御する制御装置とを備え、呼吸モニター装置は、伝声器の振動体に取り付けられた反射体と、反射体に対峙する発光素子と受光素子とから成る光センサーとを有することを特徴とする呼吸装置を提供する。
本発明に係る呼吸装置においては、伝声器の振動体を呼吸モニター装置の構成要素として利用することにより、呼吸モニター装置と伝声器とを別個独立に面体に取り付けた特許文献１の呼吸装置の実施品に比べて部品数を低減させている。
【手続補正３】
【補正対象書類名】明細書
【補正対象項目名】０００６
【補正方法】変更
【補正の内容】
【０００６】
本発明の好ましい態様においては、伝声器の振動体は張力を印加されずに無負荷時に平板状態を維持できる膜成形体である。
膜体に所定の成形を施して、張力を印加されずに無負荷時に平板状態を維持できる膜成形体とすることができる。本発明に係る伝声器が備える振動体を形成する膜成形体は、張力を印加されずに無負荷時に平板状態を維持できるので、すなわち、張力を印加されなくても無負荷時に弛まないので、呼吸装置使用者の声を外部に伝達できる。膜成形体から成る振動体は構造が複雑であるが、振動体に張力を印加する構成を伝声器に設ける必要がないので伝声器全体としては構造が簡素化する。
本発明の好ましい態様においては、伝声器の振動体は、外周縁部を除く中央部に同心円状の多数の環状の波形凹凸が形成された円形の膜成形体である。
外周縁部を除く中央部に同心円状の多数の環状の波形凹凸が形成された円形の膜成形体は、適度の剛性を有し、無負荷時に張力を印加されずに平板状態を維持できる。
本発明の好ましい態様においては、伝声器の振動体は張力を印加されることにより無負荷時に平板状態を維持できる膜体である。
単なる膜体から成る振動体は構造が簡素である。しかし、振動体に張力を印加する構成を伝声器に設ける必要があり伝声器全体としては構造が複雑化する。また、膜体に張力を印加する際に膜体に皺が発生し易い。
本発明の好ましい態様においては、呼吸モニター装置の検知信号がローパスフィルターを介して制御装置に入力される。
伝声器の振動体が呼吸装置使用者の声に共鳴すると、呼吸装置使用者の呼吸による振幅を超える振幅で伝声器の振動体が高周波振動する可能性がある。この場合、伝声器振動体の高周波振動を呼吸モニター装置が検知し、呼吸モニター装置の検知信号に基づいて電動ファンの回転数の増減或いはＯＮ／ＯＦＦが短周期で繰り返されて、電動ファン駆動用バッテリーが短時間で消耗し、電動ファンモータのブラシが消耗し、制御装置に組み込まれた電子部品が劣化することになる。ローパスフィルターを介して呼吸モニター装置の検知信号を制御装置に入力することにより、呼吸モニター装置の検知信号から呼吸装置使用者の声と伝声器の振動体との共鳴に由来する高周波成分を除去し、呼吸装置使用者の呼吸に由来する低周波成分のみを制御装置に入力することができ、前記高周波成分に起因する電動ファン駆動用バッテリーの消耗と、電動ファンモータのブラシの消耗と、制御装置に組み込まれた電子部品の劣化とを防止することができる。
本発明の好ましい態様においては、呼吸モニターの検知信号が増幅器を介して制御装置に入力される。
呼吸に伴う面体内圧の変化に対応する伝声器振動体の変位量は小さいので、呼吸に伴う電動ファンの制御の精度を高めるために、呼吸モニターの検知信号を増幅器を介して制御装置に入力するのが好ましい。増幅器を介設するのに代えて、制御装置の検知信号分解能を高め、或いは伝声器の振動体に取り付ける磁石の磁力を高め、或いは面体に取り付けるホール素子の感度を高めても良い。
本発明の好ましい態様においては、呼吸モニター装置と伝声器と制御装置とが一体に組み付けられてユニット化され、前記ユニットが面体に形成された開口に着脱可能に取り付けられている。
呼吸モニター装置と伝声器と制御装置とを一体に組み付けてユニット化し、当該ユニットを面体に形成された開口に着脱可能に取り付けることにより、呼吸装置の組み立て作業が容易化される。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域を有する遊技盤と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な複数の分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記複数の分割発光手段は、それぞれ別の系統に分けられており、前記複数の分割発光手段ごとに発光制御可能とされ、
前記遊技盤には、盤側発光手段を備え、前記周発光手段は、前記盤側発光手段と協調して発光制御され得、
前記分割発光手段の周方向の長さよりも前記周発光部の周方向の長さを長く設定した
ことを特徴とする遊技機。
【手続補正２】
【補正対象書類名】明細書
【補正対象項目名】０００３
【補正方法】変更
【補正の内容】
【０００３】
この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている（例えば、特許文献１）。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
しかしながら、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、遊技者によっては遊技に対する興趣を低下させてしまう虞があった。
【手続補正５】
【補正対象書類名】明細書
【補正対象項目名】０００６
【補正方法】変更
【補正の内容】
【０００６】
そこで、本発明は上記の実情に鑑み、遊技者の興趣が低下するのを抑制することが可能な遊技機の提供を課題とするものである。
【手続補正６】
【補正対象書類名】明細書
【補正対象項目名】０００７
【補正方法】変更
【補正の内容】
【０００７】
本願発明は、前記目的を達成するために、所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記皿ユニットの前縁付近には前記皿ユニットを発光装飾する皿ユニット発光手段を設け、
さらに前記遊技球貯留皿と前記皿ユニットの前縁の間に内部に発光体を設けた操作部を備え、
それぞれ別の系統に分けられる少なくとも１つの前記周発光部と少なくとも１つの前記分割発光手段とを同一基板上に設けたことを特徴とする遊技機である。
また、本発明とは別の発明として以下の手段を例示する。
手段１：遊技機において、
「遊技者の操作によって遊技媒体が打ち込まれる遊技領域と、
該遊技領域内に打ち込まれた遊技媒体が左右方向へ延びた一端側から供給可能とされると共に供給された遊技媒体が転動可能とされ且つ左右両端よりも中央側が低く形成された第一ステージ、該第一ステージにおける前後方向の両端に夫々配置され遊技媒体が転落するのを防止する板壁状の端壁、及び前後の該端壁同士の間における前記第一ステージ上の所定位置に形成され遊技媒体の外径よりも若干大きい径で下方へ貫通した少なくとも一つの落下孔を有した第一ステージ部材と、
該第一ステージ部材の真下に配置され前記落下孔から落下した遊技媒体を受けると共に所定幅で左右方向へ延び遊技媒体が左右方向へ転動可能とされた第二ステージ、及び該第二ステージの所定位置に形成され前記遊技領域内へ遊技媒体を誘導放出する誘導部を有した第二ステージ部材と、
及び該第二ステージ部材の下側に配置されると共に前記遊技領域内に打ち込まれた遊技媒体を受入可能とされ、遊技媒体の受入れにより所定の特典を付与する受入口とを具備する」ものであることを特徴とする。
【手続補正７】
【補正対象書類名】明細書
【補正対象項目名】００７８
【補正方法】変更
【補正の内容】
【００７８】
このように、本発明によれば、遊技者の興趣が低下するのを抑制することが可能な遊技機を提供することができる。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成された遊技板と、
前記遊技領域内に配置され遊技球が入球可能な始動口と、
該始動口に遊技球が入球したことを検出する入球状態検出手段と、
該入球状態検出手段による前記遊技球の検出に基づいて抽選を行う抽選手段と、
該抽選手段の抽選結果が当りであるとき、遊技者に利益を付与可能な利益付与状態を発生させる利益付与状態発生手段と、
前記遊技板の後方に配置され、所定の演出画像を表示可能な表示領域を有する演出表示装置と、
前記表示領域の周縁近傍に設けられる可動装飾体と、
前記抽選手段の抽選結果に基づいて、前記可動装飾体の駆動制御を行う駆動制御手段と、を備え、
前記駆動制御手段は、
正面視において前記表示領域と重なる障蔽位置に前記可動装飾体を位置させる第１状態と、
前記第１状態に比べて正面視において視認される前記表示領域が大きい開放位置に前記可動装飾体を位置させる第２状態と、に制御可能であり、
前記表示領域の周縁近傍に前記可動装飾体とは別に設けられ、前記表示領域の前方の所定位置に移動する動作が可能な特別可動体と、
前記特別可動体を用いた演出として、前記可動装飾体が前記第１状態とされ、前記特別可動体が前記所定位置に位置するように当該特別可動体を動作させる第１演出と、前記可動装飾体が前記第２状態とされ、前記特別可動体が前記所定位置に位置するように当該特別可動体を動作させる第２演出と、を実行可能な特別演出実行手段と、をさらに備え、
前記特別可動体は、前記第１演出および第２演出のいずれにおいても前記第１状態および第２状態にある前記可動装飾体と正面視で重ならない位置を前記所定位置として動作される
ことを特徴とする遊技機。
【手続補正２】
【補正対象書類名】明細書
【補正対象項目名】０００６
【補正方法】変更
【補正の内容】
【０００６】
ところで、近年では可動体による演出を行うものが多いが、可動体による演出に対しては、より興趣の高められる演出の登場が望まれている。
【手続補正３】
【補正対象書類名】明細書
【補正対象項目名】０００７
【補正方法】変更
【補正の内容】
【０００７】
本発明は、上記した事情に鑑みなされたものであり、可動体による演出の興趣を向上させることが可能な遊技機を提供することにある。
【手続補正４】
【補正対象書類名】明細書
【補正対象項目名】０００９
【補正方法】変更
【補正の内容】
【０００９】
請求項１に記載の発明は、遊技球が打ち込まれる遊技領域が前面に形成された遊技板と、前記遊技領域内に配置され遊技球が入球可能な始動口と、該始動口に遊技球が入球したことを検出する入球状態検出手段と、該入球状態検出手段による前記遊技球の検出に基づいて抽選を行う抽選手段と、該抽選手段の抽選結果が当りであるとき、遊技者に利益を付与可能な利益付与状態を発生させる利益付与状態発生手段と、前記遊技板の後方に配置され、所定の演出画像を表示可能な表示領域を有する演出表示装置と、前記表示領域の周縁近傍に設けられる可動装飾体と、前記抽選手段の抽選結果に基づいて、前記可動装飾体の駆動制御を行う駆動制御手段と、を備え、前記駆動制御手段は、正面視において前記表示領域と重なる障蔽位置に前記可動装飾体を位置させる第１状態と、前記第１状態に比べて正面視において視認される前記表示領域が大きい開放位置に前記可動装飾体を位置させる第２状態と、に制御可能であり、前記表示領域の周縁近傍に前記可動装飾体とは別に設けられ、前記表示領域の前方の所定位置に移動する動作が可能な特別可動体と、前記特別可動体を用いた演出として、前記可動装飾体が前記第１状態とされ、前記特別可動体が前記所定位置に位置するように当該特別可動体を動作させる第１演出と、前記可動装飾体が前記第２状態とされ、前記特別可動体が前記所定位置に位置するように当該特別可動体を動作させる第２演出と、を実行可能な特別演出実行手段と、をさらに備え、前記特別可動体は、前記第１演出および第２演出のいずれにおいても前記第１状態および第２状態にある前記可動装飾体と正面視で重ならない位置を前記所定位置として動作されることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明の遊技機によれば、可動体による演出の興趣を向上させることできる。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な複数の分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記複数の分割発光手段は、それぞれ別の系統に分けられており、前記複数の分割発光手段ごとに発光制御可能とされ、
前記皿ユニットの前縁付近には前記皿ユニットを発光装飾する皿ユニット発光手段を設け、
前記複数の分割発光手段は、少なくとも発光手段を所定個数備える第１分割発光手段と、備えられている前記発光手段の個数が前記第１分割発光手段とは異なる第２分割発光手段と、を含む
ことを特徴とする遊技機。
【手続補正２】
【補正対象書類名】明細書
【補正対象項目名】０００３
【補正方法】変更
【補正の内容】
【０００３】
この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている。
【手続補正３】
【補正対象書類名】明細書
【補正対象項目名】０００４
【補正方法】変更
【補正の内容】
【０００４】
しかしながら、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、遊技に対する興趣が低下するおそれがあった。
【手続補正４】
【補正対象書類名】明細書
【補正対象項目名】０００５
【補正方法】変更
【補正の内容】
【０００５】
そこで、本発明は上記の実情に鑑み、遊技興趣の低下を抑止することが可能な遊技機の提供を課題とするものである。
【手続補正５】
【補正対象書類名】明細書
【補正対象項目名】０００６
【補正方法】変更
【補正の内容】
【０００６】
請求項１に記載の発明は、所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な複数の分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記複数の分割発光手段は、それぞれ別の系統に分けられており、前記複数の分割発光手段ごとに発光制御可能とされ、
前記皿ユニットの前縁付近には前記皿ユニットを発光装飾する皿ユニット発光手段を設け、
前記複数の分割発光手段は、少なくとも発光手段を所定個数備える第１分割発光手段と、備えられている前記発光手段の個数が前記第１分割発光手段とは異なる第２分割発光手段と、を含むことを特徴とする。
また、本発明とは別の発明として以下の手段を例示する。
手段１：遊技機において、
「配線コードの先端に取付けられたコネクタ端子が所定方向から接続される被コネクタ端子を実装した基板と、
該基板における前記被コネクタ端子と隣接した位置に配置され、前記コネクタ端子を前記被コネクタ端子へ接続した状態で前記コネクタ端子の後端よりも前記所定方向へ突出し、前記コネクタ端子から延びた前記配線コードを折返させる板状の立壁部とを具備する」ものであることを特徴とする。
【手続補正６】
【補正対象書類名】明細書
【補正対象項目名】００６０
【補正方法】変更
【補正の内容】
【００６０】
このように、本発明によれば、遊技興趣の低下を抑止することが可能な遊技機を提供することができる。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域を有する遊技盤と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記遊技盤には、盤側発光手段を備え、前記周発光手段は、前記盤側発光手段と協調して発光制御され得、
前記複数の周発光部は、少なくとも発光手段を所定個数備える第１周発光部と、備えられている前記発光手段の個数が前記第１周発光部とは異なる第２周発光部と、を含み、
前記分割発光手段の周方向の長さよりも前記周発光部の周方向の長さを長く設定した
ことを特徴とする遊技機。
【手続補正２】
【補正対象書類名】明細書
【補正対象項目名】０００３
【補正方法】変更
【補正の内容】
【０００３】
この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている（例えば、特許文献１）。
【手続補正３】
【補正対象書類名】明細書
【補正対象項目名】０００５
【補正方法】変更
【補正の内容】
【０００５】
しかしながら、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、遊技に対する興趣を低下させてしまう虞があった。
【手続補正４】
【補正対象書類名】明細書
【補正対象項目名】０００６
【補正方法】変更
【補正の内容】
【０００６】
そこで、本発明は上記の実情に鑑み、遊技者の興趣が低下するのを抑制することが可能な遊技機の提供を課題とするものである。
【手続補正５】
【補正対象書類名】明細書
【補正対象項目名】０００７
【補正方法】変更
【補正の内容】
【０００７】
前記目的を達成するために、本発明は、所定条件の成立に基づいて抽選を行う抽選手段と、
該抽選手段による前記抽選の結果に応じて遊技の進行を制御する遊技制御手段と、
前記遊技が行われる遊技領域を有する遊技盤と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記遊技盤には、盤側発光手段を備え、前記周発光手段は、前記盤側発光手段と協調して発光制御され得、
前記複数の周発光部は、少なくとも発光手段を所定個数備える第１周発光部と、備えられている前記発光手段の個数が前記第１周発光部とは異なる第２周発光部と、を含み、
前記分割発光手段の周方向の長さよりも前記周発光部の周方向の長さを長く設定したことを特徴とする遊技機である。
また、本発明とは別の発明として以下の手段を例示する。
手段１：遊技機において、
「遊技者の操作によって遊技媒体が打ち込まれる遊技領域と、
該遊技領域内の所定位置に配置され所定軸周りに回転可能とされた第一可動装飾体と、
該第一可動装飾体を前記遊技領域内に遊技媒体が打ち込まれることで変化する遊技状態に応じて回転駆動させる第一駆動機構と、
該第一駆動機構の駆動により回転する前記第一可動装飾体とは前後方向の異なる位置に配置され、正面視で該第一可動装飾体に対して可及的に接近した位置と、該第一可動装飾体より離反した位置との間で移動可能とされた第二可動装飾体と、
該第二可動装飾体を遊技状態に応じて前記第一可動装飾体へ接近した位置と離反した位置との間で移動させる第二駆動機構とを具備する」ものであることを特徴とする。
【手続補正６】
【補正対象書類名】明細書
【補正対象項目名】００８０
【補正方法】変更
【補正の内容】
【００８０】
このように、本発明によれば、遊技者の興趣が低下するのを抑制することが可能な遊技機を提供することができる。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
始動条件の成立により特別遊技を行うか否かを判定する特別遊技判定手段と、
前記特別遊技判定手段による判定結果に基づいて、図柄表示手段において図柄を所定の変動時間変動させるとともに当該判定結果を示す判定図柄を停止表示させて、停止表示された当該判定図柄を所定の確定時間継続して停止表示させる変動表示を制御する図柄表示制御手段と、
前記図柄表示制御手段による前記変動表示中における演出を制御する演出制御手段とを備え、
前記演出制御手段は、
演出表示手段において、前記変動時間中において複数の装飾図柄の全てを仮停止表示してから、前記確定時間中において当該複数の装飾図柄の全てを本停止表示する装飾図柄制御手段と、
前記複数の装飾図柄の全てが仮停止表示されることを契機に、前記演出表示手段の第１表示領域において第１仮停止契機演出を表示するとともに前記演出表示手段の第２表示領域において第２仮停止契機演出を表示する仮停止契機演出制御手段とを有し、
前記第１仮停止契機演出および前記第２仮停止契機演出は、それぞれ、複数の演出態様を有し、
前記仮停止契機演出制御手段は、
前記複数の装飾図柄の全てが仮停止表示されることを契機に、仮停止表示された当該複数の装飾図柄の全ての組み合せに応じた前記第１仮停止契機演出および前記第２仮停止契機演出を表示し、
前記確定時間中においては、前記第１表示領域における前記第１仮停止契機演出の表示を制限する一方、前記第２表示領域における前記第２仮停止契機演出の表示を継続する、遊技機。
【手続補正２】
【補正対象書類名】明細書
【補正対象項目名】０００７
【補正方法】変更
【補正の内容】
【０００７】
遊技機（１）であって、
始動条件の成立により特別遊技（大当り遊技）を行うか否かを判定する特別遊技判定手段（１００）と、
前記特別遊技判定手段による判定結果に基づいて、図柄表示手段（４）において図柄を所定の変動時間変動させるとともに当該判定結果を示す判定図柄を停止表示させて、停止表示された当該判定図柄を所定の確定時間継続して停止表示させる変動表示を制御する図柄表示制御手段（１００）と、
前記図柄表示制御手段による前記変動表示中における演出を制御する演出制御手段（４００）とを備え、
前記演出制御手段は、
演出表示手段（６ａ、６ｂ）において、前記変動時間中において複数の装飾図柄（ＤＩ）の全てを仮停止表示してから、前記確定時間中において当該複数の装飾図柄の全てを本停止表示する装飾図柄制御手段と、
前記複数の装飾図柄の全てが仮停止表示されることを契機に、前記演出表示手段の第１表示領域（６ａ）において第１仮停止契機演出（メインシルエット画像ＭＳＩ；図３６（４）等参照）を表示するとともに前記演出表示手段の第２表示領域（６ｂ）において第２仮停止契機演出（サブシルエット画像ＳＳＩ；図３６（４）等参照）を表示する仮停止契機演出制御手段とを有し、
前記第１仮停止契機演出および前記第２仮停止契機演出は、それぞれ、複数の演出態様を有し、（図３３（４）参照）
前記仮停止契機演出制御手段は、
前記複数の装飾図柄の全てが仮停止表示されることを契機に、仮停止表示された当該複数の装飾図柄の全ての組み合せに応じた前記第１仮停止契機演出および前記第２仮停止契機演出を表示し、（段落［０３２６］参照）
前記確定時間中においては、前記第１表示領域における前記第１仮停止契機演出の表示を制限する一方、前記第２表示領域における前記第２仮停止契機演出の表示を継続する（図３４等参照）。
【手続補正３】
【補正対象書類名】明細書
【補正対象項目名】０００８
【補正方法】削除
【補正の内容】
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
所定条件の成立に基づいて変動表示ゲームを実行し、前記変動表示ゲームの停止態様が特定表示態様となったときに特典を付与するようにした遊技機において、
遊技の進行を制御する遊技制御手段と、
前記遊技制御手段から送信されるコマンドに基づき、表示装置において前記変動表示ゲームに関する演出を行う演出制御手段と、を備え、
前記演出制御手段は、
前記遊技制御手段から送信されるコマンドに基づいて出現の可能性がある複数種類の演出の振り分けを同一テーブル内に定義し、該テーブルには、前記演出の種類毎に、各演出の演出内容を決定するための複数の振り分けデータを含むように設定する振分設定手段と、
前記演出の種類毎に乱数を抽出し、当該演出の種類に含まれる複数の演出要素の中から該乱数に対応する一の演出要素を選出して前記演出内容を決定する演出決定手段と、
を備え、
前記テーブルは、前記変動表示ゲームに関する演出のうち、リーチ演出開始前の期間に出現の可能性がある複数の演出群を定義した前半演出振り分け用データ群と、リーチ演出中の期間に出現の可能性がある複数の演出群を定義した後半演出振り分け用データ群と、が設定され、
前記後半演出振り分け用データ群は、前記遊技制御手段から送信されるコマンドが異なるものであっても、前記表示装置に表示される前記リーチ演出が同系統の演出である場合には共通に使用されることを特徴とする遊技機。
【手続補正２】
【補正対象書類名】明細書
【補正対象項目名】０００２
【補正方法】変更
【補正の内容】
【０００２】
従来、遊技機では複数の図柄を変動表示可能な表示装置を配置し、パチンコ遊技の制御などに必要な処理を行うため、演算処理基板、演出制御基板を含む各種基板を備えている。
遊技機を構成する各種基板のうち、遊技者が遊技をする際に最も注目する表示装置での映像表示は演出制御基板が制御している。演出制御基板（サブ基板）は遊技制御基板（主基板）からの指示（コマンド）に基づいて、その時の遊技状態に対する演出内容（描画内容）を判断して、演出を行っている（特許文献１参照）。
なお、遊技制御基板や演出制御基板はそれぞれ制御装置を構成し、それらは遊技制御装置や演出制御装置となっている。
【手続補正３】
【補正対象書類名】明細書
【補正対象項目名】０００４
【補正方法】変更
【補正の内容】
【０００４】
しかしながら、演出制御基板の演出内容には、膨大な数の演出があるので、それらを全て選出するには多大な時間が掛かってしまう上、開発効率が低下してしまうという課題がある。
【手続補正４】
【補正対象書類名】明細書
【補正対象項目名】０００６
【補正方法】変更
【補正の内容】
【０００６】
請求項１記載の発明は、所定条件の成立に基づいて変動表示ゲームを実行し、前記変動表示ゲームの停止態様が特定表示態様となったときに特典を付与するようにした遊技機において、
遊技の進行を制御する遊技制御手段と、
前記遊技制御手段から送信されるコマンドに基づき、表示装置において前記変動表示ゲームに関する演出を行う演出制御手段と、を備え、
前記演出制御手段は、
前記遊技制御手段から送信されるコマンドに基づいて出現の可能性がある複数種類の演出の振り分けを同一テーブル内に定義し、該テーブルには、前記演出の種類毎に、各演出の演出内容を決定するための複数の振り分けデータを含むように設定する振分設定手段と、
前記演出の種類毎に乱数を抽出し、当該演出の種類に含まれる複数の演出要素の中から該乱数に対応する一の演出要素を選出して前記演出内容を決定する演出決定手段と、
を備え、
前記テーブルは、前記変動表示ゲームに関する演出のうち、リーチ演出開始前の期間に出現の可能性がある複数の演出群を定義した前半演出振り分け用データ群と、リーチ演出中の期間に出現の可能性がある複数の演出群を定義した後半演出振り分け用データ群と、が設定され、
前記後半演出振り分け用データ群は、前記遊技制御手段から送信されるコマンドが異なるものであっても、前記表示装置に表示される前記リーチ演出が同系統の演出である場合には共通に使用されることを特徴とする。
【手続補正５】
【補正対象書類名】明細書
【補正対象項目名】０００７
【補正方法】削除
【補正の内容】
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
入力装置を備える複数のゲーム装置と、該ゲーム装置と通信ネットワークにより接続されるサーバ装置とを備え、入力装置を介して入力されたプレイヤの操作に従ってゲームが進行するネットワークゲームシステムであって、
サーバ装置が、
ゲーム装置毎に関連付けられたキャラクタに関するキャラクタ情報を記憶するキャラクタ情報記憶手段により記憶された複数のキャラクタ情報のうち、ゲーム装置に関連付けられた、少なくとも１つのキャラクタに関する任意のキャラクタ情報を他のゲーム装置に送信するキャラクタ情報送信手段、
を備え、
ゲーム装置が、
サーバ装置から受信したキャラクタ情報をゲーム内で利用する利用手段
を備えることを特徴とするネットワークゲームシステム。
【請求項２】
キャラクタ情報送信手段が、ゲーム装置または送信先の他のゲーム装置に関する所定規則に従って、少なくとも１つのキャラクタに関するキャラクタ情報を他のゲーム装置に送信する、請求項１に記載のネットワークゲームシステム。
【請求項３】
キャラクタ情報送信手段が、送信先の他のゲーム装置に関連付けられたキャラクタのステータス情報に応じたステータス情報を有するキャラクタのキャラクタ情報を他のゲーム装置に送信する、請求項１に記載のネットワークゲームシステム。
【請求項４】
キャラクタ情報送信手段が、サーバ装置に対してキャラクタ情報の送信の要求をしてから所定の時間が経過したゲーム装置に関連付けられたキャラクタ情報以外の任意のキャラクタ情報を他のゲーム装置に送信する、請求項１又は２に記載のネットワークゲームシステム。
【請求項５】
入力装置を備え、入力装置を介して入力されたプレイヤの操作に従ってゲームが進行するネットワークゲームシステムを実行するサーバ装置と通信ネットワークにより接続されたゲーム装置であって、
ゲーム装置が、
サーバ装置から他のゲーム装置に関連付けられたキャラクタに関する任意のキャラクタ情報を受信する他キャラクタ情報受信手段、
他キャラクタ情報受信手段により受信した他のキャラクタ情報をゲーム内で利用する利用手段
を備えることを特徴とするゲーム装置。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者にとって有利な特典を付与する特典付与手段と、
特典が付与されるか否かを報知する複数種類の報知演出のうちからいずれかを実行する報知演出実行手段と、
複数種類の報知演出のうちの一の報知演出が実行される場合に特典が付与される可能性を示唆する示唆演出を実行する示唆演出実行手段とを備え、
前記示唆演出は、前記一の報知演出が実行される場合に特典が所定割合で付与される旨を示唆する第１示唆演出と、前記一の報知演出が実行される場合に特典が当該所定割合よりも高い割合で付与される旨を示唆する第２示唆演出とを含み、
前記示唆演出実行手段は、前記一の報知演出が実行されるにあたり、前記第１示唆演出を実行した後に前記第２示唆演出を実行可能である、遊技機。
【手続補正２】
【補正対象書類名】明細書
【補正対象項目名】０００６
【補正方法】変更
【補正の内容】
【０００６】
この発明は、かかる実情に鑑み考え出されたものであり、その目的は、遊技者に抱かせた期待感を考慮して遊技の興趣を向上させることができる遊技機を提供することである。
【手続補正３】
【補正対象書類名】明細書
【補正対象項目名】０００７
【補正方法】変更
【補正の内容】
【０００７】
（１）  遊技を行う遊技機（第１実施の形態におけるスロットマシン１、第２実施の形態におけるパチンコ遊技機２０１）であって、
遊技者にとって有利な特典（第１実施の形態におけるＡＴ、ボーナス、第２実施の形態における大当たり状態、確変状態など）を付与する特典付与手段（たとえば、第１実施の形態におけるＡＴ抽選処理、第２実施の形態における大当たり決定するための処理など）と、
特典が付与されるか否かを報知する複数種類の報知演出（第１実施の形態におけるキャラクタＡ、キャラクタＢ、第２実施の形態における表示領域２０９Ａ〜２０９Ｄ、ノーマル、スーパーＡ、スーパーＢ、スーパーＣなど）のうちからいずれかを実行する報知演出実行手段（第１実施の形態における図１４のＳ０５、図１５、バトル関連演出実行処理によりバトル演出を実行するための処理、第２実施の形態における図２０（ｅ）および（ｆ）を実行するための処理）と、
複数種類の報知演出のうちの一の報知演出が実行される場合に特典が付与される可能性を示唆する示唆演出を実行する示唆演出実行手段（第１実施の形態における図１４のＳ０６、Ｓ０７、図１６、図１７、バトル関連演出実行処理によりバトル演出を開始するまでの前兆期間中の演出を実行するための処理、第２実施の形態における図２０（ｃ）および（ｄ）を実行するための処理）とを備え、
前記示唆演出は、前記一の報知演出が実行される場合に特典が所定割合で付与される旨を示唆する第１示唆演出と、前記一の報知演出が実行される場合に特典が当該所定割合よりも高い割合で付与される旨を示唆する第２示唆演出とを含み、
前記示唆演出実行手段は、前記一の報知演出が実行されるにあたり、前記第１示唆演出を実行した後に前記第２示唆演出を実行可能である。
【手続補正４】
【補正対象書類名】明細書
【補正対象項目名】０００８
【補正方法】変更
【補正の内容】
【０００８】
このような構成によれば、複数種類の報知演出のうちの一の報知演出が実行される場合に特典が付与される可能性に対する期待感を遊技者に抱かせることができる。また、このような一の報知演出が実行されるにあたり、第１示唆演出を実行した後に第２示唆演出を実行可能であるので、遊技の興趣を向上させることができる。